(57)【特許請求の範囲】
【請求項１】
１対ｎの形態の接続を行う機能を有するネットワークを経由して双方向通信を行う通信システムにおいて、前記ネットワーク内で端末装置を唯一に識別するための識別子である端末ＩＤを自動的に割り付けるための端末ＩＤ割付方法であって、
センタ装置が、前記端末ＩＤの割付を要求する端末ＩＤ割付要求メッセージを、前記ネットワークの所定制御チャネルを用いて送信し、
前記端末ＩＤを割り付けていない端末装置は、前記端末ＩＤ割付要求メッセージを前記ネットワークの所定制御チャネルから受信した場合に、前記受信した端末ＩＤ割付要求メッセージに対する応答である端末ＩＤ割付要求応答メッセージを、前記ネットワークの所定制御チャネルを用いて送信し、
前記センタ装置は、前記端末ＩＤ割付要求応答メッセージを前記ネットワークの所定制御チャネルから受信した以後、該メッセージを送信した前記端末装置との間でメッセージを交換することにより、該端末装置に対応する端末ＩＤを割り付ける過程を含み、
前記センタ装置は、前記端末ＩＤの割付を要求する端末ＩＤ割付要求メッセージを、前記ネットワークの所定制御チャネルを用いて所定時間間隔で送信し、
前記センタ装置は、前記端末ＩＤ割付要求メッセージを送信していないタイミングにおいては、前記ネットワークの所定制御チャネルを前記端末ＩＤ割付要求メッセージ以外の制御信号の送受信に共用し、
端末ＩＤ割付要求メッセージを送信していないタイミングにおいて、前記ネットワークの所定制御チャネルを用いて、前記端末装置の正常性確認処理、キャリアレベル調整処理、距離情報調整処理等の他の目的の制御信号を送受信する
ことを特徴とする端末ＩＤ自動割付方法。
【請求項２】
１対ｎの形態の接続を行う機能を有するネットワークを経由して双方向通信を行う通信システムにおいて、前記ネットワーク内で端末装置を唯一に識別するための識別子である端末ＩＤを自動的に割り付けるための端末ＩＤ割付方法であって、
センタ装置が、前記端末ＩＤの割付を要求する端末ＩＤ割付要求メッセージを、前記ネットワークの所定制御チャネルを用いて送信し、
前記端末ＩＤを割り付けていない端末装置は、前記端末ＩＤの自動割付時に該端末装置自身を識別するための識別子である仮端末ＩＤをランダムに生成し、
前記端末ＩＤを割り付けていない端末装置は、前記端末ＩＤ割付要求メッセージを前記ネットワークの所定制御チャネルから受信した場合に、前記受信した端末ＩＤ割付要求メッセージに対する応答であって該端末装置自身が生成した前記仮端末ＩＤを付加した端末ＩＤ割付要求応答メッセージを、前記ネットワークの所定制御チャネルを用いて送信し、
前記センタ装置は、前記端末ＩＤ割付要求応答メッセージを前記ネットワークの所定制御チャネルから受信した以後、該端末ＩＤ割付要求応答メッセージに付加されている仮端末ＩＤを識別しながら該仮端末ＩＤに対応する前記端末装置との間でメッセージを交換することにより、前記仮端末ＩＤに対応する前記端末装置に対して、該端末装置に対応する端末ＩＤを割り付ける過程を含み、
前記センタ装置は、前記端末ＩＤの割付を要求する端末ＩＤ割付要求メッセージを、前記ネットワークの所定制御チャネルを用いて所定時間間隔で送信し、
前記センタ装置は、前記端末ＩＤ割付要求メッセージを送信していないタイミングにおいては、前記ネットワークの所定制御チャネルを前記端末ＩＤ割付要求メッセージ以外の制御信号の送受信に共用し、
端末ＩＤ割付要求メッセージを送信していないタイミングにおいて、前記ネットワークの所定制御チャネルを用いて、前記端末装置の正常性確認処理、キャリアレベル調整処理、距離情報調整処理等の他の目的の制御信号を送受信する
ことを特徴とする端末ＩＤ自動割付方法。
【請求項３】
請求項１又は２の何れか１項に記載の方法であって、
前記センタ装置は、前記端末ＩＤ割付要求メッセージを送信する場合に、送信毎に値がサイクリックに変化する所定桁の端末装置選択用データを付与し、
前記端末ＩＤを割り付けていない端末装置は、前記端末ＩＤの自動割付時に該端末装置自身を識別するための識別子である仮端末ＩＤをランダムに生成し、
前記端末装置選択用データの桁数を前記仮端末ＩＤの桁数より小さくし、
前記端末ＩＤを割り付けていない端末装置は、前記端末ＩＤ割付要求メッセージを前記ネットワークの所定制御チャネルから受信した場合に、該受信した端末ＩＤ割付要求メッセージに付与されている前記所定桁の端末装置選択用データが該端末装置自身が生成した前記仮端末ＩＤの下位桁から前記所定桁を選択して得られるデータと一致した場合に、前記端末ＩＤ割付要求応答メッセージを送信する、
ことを特徴とする端末ＩＤ自動割付方法。
【請求項４】
請求項１又は２の何れか１項に記載の方法であって、
前記センタ装置は、前記端末ＩＤ割付要求応答メッセージを前記ネットワークの所定制御チャネルから受信した場合に、前記端末ＩＤの割付の成功を示すものであって前記受信した端末ＩＤ割付要求応答メッセージに付加されていた仮端末ＩＤを付加した端末ＩＤ割付成功メッセージを、前記ネットワークの所定制御チャネルを用いて送信し、
前記センタ装置は、前記端末ＩＤ割付要求応答メッセージを前記ネットワークの所定制御チャネルから受信した際に該メッセージのデータエラーを検出した場合、又は複数の前記端末ＩＤ割付要求応答メッセージを前記ネットワークの所定制御チャネルから続けて受信した場合に、前記端末ＩＤの割付の失敗を示す端末ＩＤ割付失敗メッセージを、前記ネットワークの所定制御チャネルを用いて送信し、
前記端末ＩＤを割り付けていない端末装置は、前記端末ＩＤ割付成功メッセージを前記ネットワークの所定制御チャネルから受信した場合に、前記センタ装置から通知された本端末ＩＤを該端末装置自身の端末ＩＤとして登録し、
前記端末ＩＤを割り付けていない端末装置は、前記端末ＩＤ割付失敗メッセージを前記ネットワークの所定制御チャネルから受信した場合に、前記端末ＩＤの自動割付の失敗のための処理を実行する、
ことを特徴とする端末ＩＤ自動割付方法。
【請求項５】
請求項４に記載の方法であって、
前記端末ＩＤを割り付けていない端末装置は、前記端末ＩＤ割付失敗メッセージを前記ネットワークの所定制御チャネルから受信した場合に、ランダムタイミングがセットされたタイマを起動し、該タイマがタイムアウトするまでの間は前記ネットワークの所定制御チャネルからいかなるメッセージも受信せず、該タイマがタイムアウトした後に、前記端末ＩＤ割付要求メッセージの受信待ち状態に移行する、
ことを特徴とする端末ＩＤ自動割付方法。
【請求項６】
請求項２に記載の方法であって、
前記センタ装置は、前記端末ＩＤ割付要求応答メッセージを前記ネットワークの所定制御チャネルから受信した場合に、前記端末ＩＤの割付の成功を示すものであって前記受信した端末ＩＤ割付要求応答メッセージに付加されていた仮端末ＩＤを付加した端末ＩＤ割付成功メッセージを、前記ネットワークの所定制御チャネルを用いて送信し、
前記センタ装置は、複数の前記端末ＩＤ割付要求応答メッセージを前記ネットワークの所定制御チャネルから続けて受信した場合に、前記端末ＩＤの割付の成功を示すものであって前記受信した複数の端末ＩＤ割付要求応答メッセージのうち所定の規則に従って選択した１つに付加されていた仮端末ＩＤを付加した端末ＩＤ割付成功メッセージを、前記ネットワークの所定制御チャネルを用いて送信し、
前記センタ装置は、前記端末ＩＤ割付要求応答メッセージを前記ネットワークの所定制御チャネルから受信した際に該メッセージのデータエラーを検出した場合に、前記端末ＩＤの割付の失敗を示す端末ＩＤ割付失敗メッセージを、前記ネットワークの所定制御チャネルを用いて送信し、
前記端末ＩＤを割り付けていない端末装置は、前記端末ＩＤ割付成功メッセージを前記ネットワークの所定制御チャネルから受信した場合であってかつ該受信した端末ＩＤ割付成功メッセージに付加されている仮端末ＩＤが該端末装置自身が生成した前記仮端末ＩＤと一致した場合に、前記センタ装置から通知された本端末ＩＤを該端末装置自身の端末ＩＤとして登録し、
前記端末ＩＤを割り付けていない端末装置は、前記端末ＩＤ割付失敗メッセージを前記ネットワークの所定制御チャネルから受信した場合、又は前記端末ＩＤ割付成功メッセージを前記ネットワークの所定制御チャネルから受信した場合であってかつ該受信した端末ＩＤ割付成功メッセージに付加されている仮端末ＩＤが該端末装置自身が生成した前記仮端末ＩＤと一致しなかった場合に、前記端末ＩＤの自動割付の失敗のための処理を実行する、
ことを特徴とする端末ＩＤ自動割付方法。
【請求項７】
請求項６に記載の方法であって、
前記端末ＩＤを割り付けていない端末装置は、前記端末ＩＤ割付失敗メッセージを前記ネットワークの所定制御チャネルから受信した場合、又は前記端末ＩＤ割付成功メッセージを前記ネットワークの所定制御チャネルから受信した場合であってかつ該受信した端末ＩＤ割付成功メッセージに付加されている仮端末ＩＤが該端末装置自身が生成した前記仮端末ＩＤと一致しなかった場合に、ランダムタイミングがセットされたタイマを起動し、該タイマがタイムアウトするまでの間は前記ネットワークの所定制御チャネルからいかなるメッセージも受信せず、該タイマがタイムアウトした後に、前記端末ＩＤ割付要求メッセージの受信待ち状態に移行する、
ことを特徴とする端末ＩＤ自動割付方法。
【請求項８】
請求項１乃至７の何れか１項に記載の方法であって、
前記端末ＩＤの割付が完了した端末装置から前記センタ装置が管理する特定端末装置を呼び出したときに、該特定端末装置に前記割付が完了した端末ＩＤを表示する、
ことを特徴とする端末ＩＤ自動割付方法。
【請求項９】
請求項１乃至７の何れか１項に記載の方法を使用するセンタ装置。
【請求項１０】
請求項１乃至７の何れか１項に記載の方法を使用する端末装置。
【請求項１１】
請求項１乃至７の何れか１項に記載の方法を使用するセンタ装置及び端末装置を含む通信システム。
【発明の詳細な説明】
【０００１】
【発明の属する技術分野】
本発明は、ＣＡＴＶ網等の１対ｎの形態の接続を行う機能を有するネットワークを経由して双方向通信を行う通信システムにおいて、ネットワーク内で端末装置を唯一に識別するための識別子（ＩＤ番号）を自動的に割り当てる技術に関する。
【０００２】
【従来の技術及び発明が解決しようとする課題】
近年、１対ｎの形態の接続を行う既設のＣＡＴＶ網を使用し、電話サービス、ＶＯＤ（ビデオオンデマンド）サービス等の双方向サービスを実現するネットワーク通信システムが開発されている。このような通信システムでは、センタ装置１台に対して接続される端末装置の数が複数台存在するため、センタ装置と各端末装置の間でそれぞれ通信を行う場合には、端末毎にネットワーク内で唯一の識別子（端末ＩＤ）を割り付ける必要がある。
【０００３】
ＰＨＳ等の従来の双方向通信システムでは、端末装置の端末ＩＤは、その端末装置が工場から出荷される時に固定的に割り当てられるのが一般的であった。
しかし、この方式では、端末ＩＤを世界で唯一の番号としなければならないため、端末ＩＤ番号が長くなり、また、工場での書き込み処理及び端末ＩＤの管理が煩雑になってしまう等の問題点を有していた。
【０００４】
また、端末ＩＤの自動割付の従来方式として、センタ装置であるＩＳＤＮ（サービス統合ディジタル網：Ｉｎｅｇｒａｔｅｄ  Ｓｅｒｖｉｃｅｓ  Ｄｉｇｉｔａｌ  Ｉｎｔｅｒｆａｃｅ）交換機から端末装置であるＢＲＩ（基本速度インタフェース：Ｂａｓｉｃ  Ｒａｔｅ  Ｉｎｅｒｆａｃｅ  ）端末に対するＴＥＩ（端末終端点識別子：Ｔｅｒｍｉｎａｌ  Ｅｎｄｐｏｉｎｔ  Ｉｄｅｎｔｉｆｉｅｒ）割当方式が知られている。この方式では、図１５に示されるように、ＢＲＩ端末が、ＩＳＤＮ交換機に対し、ＴＥＩ割当要求を示すＵＩ（Ｕｎａｃｋｎｏｗｌｅｄｇｅｄ  Ｉｎｆｏｒｍａｔｉｏｎ）メッセージを送信する。この要求メッセージに対し、ＩＳＤＮ交換機は、そのＢＲＩ端末に対応するＴＥＩを決定し、それが格納されＴＥＩ割当完了を示すＵＩメッセージをＢＲＩ端末に返信する。ＢＲＩ端末は、その返信メッセージを受信すると、それに格納されているＴＥＩを自端末内に設定し、以後の通信はそのＴＥＩを用いて行う。これにより、各ＢＲＩ端末に対して、端末ＩＤであるＴＥＩを自動的に割り当てることができる。
【０００５】
上記ＴＥＩ割当方式は、２個のＢチャネルと１個のＤチャネルとからなるＩＳＤＮにおける基本速度インタフェース上で規定された方式であり、１本の２Ｂ＋Ｄインタフェースに接続し得る最大で８台程度のＢＲＩ端末を対象としている。このため、上述のような、端末装置側からセンタ装置側に対して端末ＩＤの割当要求が送信されるような方式では、端末装置の数が増大した場合に割当要求の競合が発生する可能性が高くなり、かつ上述のような方式はそのような競合を調停するためのメカニズムを提供していなかった。このため、上述のような方式は、多くの端末のそれぞれに対してネットワーク内で唯一の端末ＩＤを割り付ける必要があるような双方向通信システムに適用することができないという問題点を有していた。
【０００６】
本発明の課題は、ネットワーク内で端末装置を唯一に識別するための端末ＩＤを自動的かつ効率的に割り当てることにある。
【０００７】
【課題を解決するための手段】
図１は、本発明の原理図である。
本発明は、１対ｎの形態の接続を行う機能を有するＣＡＴＶ網等のネットワークを経由して双方向通信を行う通信システムにおいて、ネットワーク内で端末装置を唯一に識別するための識別子である端末ＩＤを自動的に割り付けるための端末ＩＤ割付方式を前提とする。
【０００８】
本発明の第１の態様は、以下の構成を有する。
まず、センタ装置は、端末ＩＤの割付を要求する端末ＩＤ割付要求メッセージを、ネットワークの所定制御チャネルを用いて送信する（図１の１０１）。
【０００９】
端末ＩＤを割り付けていない端末装置は、端末ＩＤ割付要求メッセージをネットワークの所定制御チャネルから受信した場合に、受信した端末ＩＤ割付要求メッセージに対する応答である端末ＩＤ割付要求応答メッセージを、ネットワークの所定制御チャネルを用いて送信する（図１の１０２、１０４）。
【００１０】
そして、センタ装置は、端末ＩＤ割付要求応答メッセージをネットワークの所定制御チャネルから受信した以後、そのメッセージを送信した端末装置との間でメッセージを交換することにより、その端末装置に対応する端末ＩＤを割り付ける（図１の１０５〜１１０）。
【００１１】
上述した本発明の第１の態様の構成では、センタ装置の主導により、端末ＩＤ割付要求メッセージが送信されるため、センタ装置は端末装置からの端末ＩＤ割付要求応答メッセージの競合を監視することができ、適切な端末ＩＤの自動割付処理を実行することができる。
【００１２】
本発明の第２の態様は、以下の構成を有する。
まず、センタ装置は、端末ＩＤの割付を要求する端末ＩＤ割付要求メッセージを、ネットワークの所定制御チャネルを用いて送信する（図１の１０１）。
【００１３】
端末ＩＤを割り付けていない端末装置は、電源の投入時等において、端末ＩＤの自動割付時にその端末装置自身を識別するための識別子である仮端末ＩＤをランダムに生成する（図１の１０３）。
【００１４】
端末ＩＤを割り付けていない端末装置は、端末ＩＤ割付要求メッセージをネットワークの所定制御チャネルから受信した場合に、受信した端末ＩＤ割付要求メッセージに対する応答であってその端末装置自身が生成した仮端末ＩＤを付加した端末ＩＤ割付要求応答メッセージを、ネットワークの所定制御チャネルを用いて送信する（図１の１０２、１０４）。
【００１５】
センタ装置は、端末ＩＤ割付要求応答メッセージをネットワークの所定制御チャネルから受信した以後、その端末ＩＤ割付要求応答メッセージに付加されている仮端末ＩＤを識別しながらその仮端末ＩＤに対応する端末装置との間でメッセージを交換することにより、仮端末ＩＤに対応する端末装置に対して、その端末装置に対応する端末ＩＤを割り付ける（図１の１０５〜１１０）。
【００１６】
上述した本発明の第２の態様の構成では、端末装置がランダムに生成した仮端末ＩＤを認識しながらセンタ装置と端末装置との間で端末ＩＤの自動割付のためのメッセージの通信が行われることにより、複数の端末装置に対する端末ＩＤの自動割付の競合制御を適切に実行することができる。
【００１７】
本発明の第３の態様は、上述した本発明の第１又は第２の態様を基本として、以下の構成を有する。
まず、センタ装置は、端末ＩＤ割付要求メッセージを送信する場合に、送信毎に値がサイクリックに変化する所定桁の端末装置選択用データを付与する（図１の１０１）。
【００１８】
次に、端末ＩＤを割り付けていない端末装置は、電源の投入時等において、端末ＩＤの自動割付時にその端末装置自身を識別するための識別子である仮端末ＩＤをランダムに生成する（図１の１０３）。
【００１９】
そして、端末ＩＤを割り付けていない端末装置は、端末ＩＤ割付要求メッセージをネットワークの所定制御チャネルから受信した場合に、その受信した端末ＩＤ割付要求メッセージに付与されている所定桁の端末装置選択用データがその端末装置自身が生成した仮端末ＩＤの下位桁から所定桁を選択して得られるデータと一致した場合においてのみ、端末ＩＤ割付要求応答メッセージを送信する（図１の１０２）。
【００２０】
上述した本発明の第３の態様の構成では、同時に端末ＩＤの自動割付処理を実行する端末装置の数を制限することができる。センタ装置は、上記端末装置選択用データの値を送信毎にサイクリックに変化させるため、新規にネットワークに接続する端末装置は、いつかは必ず端末ＩＤの自動割付処理を実行することができ、しかも端末装置間で端末ＩＤの自動割付処理の競合が発生する確率を大幅に抑えることができる。
【００２１】
本発明の第４の態様は、上述した本発明の第１又は第２の態様を基本として、以下の構成を有する。
まず、センタ装置は、端末ＩＤ割付要求応答メッセージをネットワークの所定制御チャネルから受信した場合に、端末ＩＤの割付の成功を示すものであって受信した端末ＩＤ割付要求応答メッセージに付加されていた仮端末ＩＤを付加した端末ＩＤ割付成功メッセージを、ネットワークの所定制御チャネルを用いて送信する（図１の１０５、１０６）。
【００２２】
また、センタ装置は、端末ＩＤ割付要求応答メッセージをネットワークの所定制御チャネルから受信した際にそのメッセージのデータエラーを検出した場合、又は複数の端末ＩＤ割付要求応答メッセージをネットワークの所定制御チャネルから続けて受信した場合に、端末ＩＤの割付の失敗を示す端末ＩＤ割付失敗メッセージを、ネットワークの所定制御チャネルを用いて送信する（図１の１０５、１０７）。
【００２３】
端末ＩＤを割り付けていない端末装置は、端末ＩＤ割付成功メッセージをネットワークの所定制御チャネルから受信した場合に、センタ装置から通知された本端末ＩＤをその端末装置自身の端末ＩＤとして登録する（図１の１０８）。
【００２４】
また、端末ＩＤを割り付けていない端末装置は、端末ＩＤ割付失敗メッセージをネットワークの所定制御チャネルから受信した場合に、端末ＩＤの自動割付の失敗のための処理を実行する（図１の１０９、１１０）。
【００２５】
上述した本発明の第４の態様の構成では、センタ装置が、複数の端末装置から送信された端末ＩＤ割付要求応答メッセージの競合を検出した場合に、センタ装置が各端末装置に端末ＩＤ割付失敗メッセージを送信して各端末装置に対して端末ＩＤの自動割付処理を中止させることにより、端末ＩＤの二重割付を回避することができる。
【００２６】
本発明の第５の態様は、上述した本発明の第２の態様を基本として、以下の構成を有する。
この本発明の第５の態様では、センタ装置は、複数の端末ＩＤ割付要求応答メッセージをネットワークの所定制御チャネルから続けて受信した場合に、本発明の第４の態様の場合とは異なり、ＴＩＤ割付失敗メッセージではなく、複数の端末ＩＤ割付要求応答メッセージのうち所定の規則に従って選択した１つに付加されていた仮端末ＩＤを付加した端末ＩＤ割付成功メッセージを、ネットワークの所定制御チャネルを用いて送信する（図１の１０５、１０６）。
【００２７】
これに対して、端末ＩＤを割り付けていない端末装置は、端末ＩＤ割付成功メッセージをネットワークの所定制御チャネルから受信した場合であってかつその受信した端末ＩＤ割付成功メッセージに付加されている仮端末ＩＤがその端末装置自身が生成した仮端末ＩＤと一致した場合に、センタ装置から通知された本端末ＩＤをその端末装置自身の端末ＩＤとして登録する（図１の１０８）。
【００２８】
また、端末ＩＤを割り付けていない端末装置は、端末ＩＤ割付失敗メッセージをネットワークの所定制御チャネルから受信した場合、又は端末ＩＤ割付成功メッセージをネットワークの所定制御チャネルから受信した場合であってかつその受信した端末ＩＤ割付成功メッセージに付加されている仮端末ＩＤが該端末装置自身が生成した前記仮端末ＩＤと一致しなかった場合に、端末ＩＤの自動割付の失敗のための処理を実行する（図１の１０９、１１０）。
【００２９】
上述の本発明の第５の態様の構成では、本発明の第４の態様の場合と同様に、端末ＩＤの二重割付を回避することができると共に、センタ装置が複数の端末ＩＤ割付要求応答メッセージをネットワークの所定制御チャネルから続けて受信した場合には、そのうちの１つの端末ＩＤ割付要求応答メッセージに基づいて端末ＩＤの自動割付処理を続行することができる。
【００３０】
本発明の第６の態様は、上述した本発明の第４又は第５の態様を基本として、以下の構成を有する。
即ち、端末ＩＤを割り付けていない端末装置は、端末ＩＤ割付失敗メッセージをネットワークの所定制御チャネルから受信した場合（本発明の第４、第５の態様の場合）、又は端末ＩＤ割付成功メッセージをネットワークの所定制御チャネルから受信した場合であってかつその受信した端末ＩＤ割付成功メッセージに付加されている仮端末ＩＤがその端末装置自身が生成した仮端末ＩＤと一致しなかった場合（本発明の第５の態様の場合）に、ランダムタイミングがセットされたタイマを起動し、そのタイマがタイムアウトするまでの間はネットワークの所定制御チャネルからいかなるメッセージも受信せず、そのタイマがタイムアウトした後に、端末ＩＤ割付要求メッセージの受信待ち状態に移行する（図１の１０９→１１０）。
【００３１】
上述の本発明の第６の態様の構成では、上述のランダムタイミングがセットされたタイマ処理が、衝突を発生させた全ての端末装置において実行されることにより、次のリトライ時にも同じタイミングで再度端末ＩＤ割付要求応答メッセージを送出してしまうという事態を回避することができる。
【００３２】
本発明の第７の態様は、上述した本発明の第１乃至第６の態様を基本として、以下の構成を有する。
即ち、センタ装置は、端末ＩＤの割付を要求する端末ＩＤ割付要求メッセージを、ネットワークの所定制御チャネルを用いて所定時間間隔で送信する。
【００３３】
そして、センタ装置は、端末ＩＤ割付要求メッセージを送信していないタイミングにおいては、ネットワークの所定制御チャネルを端末ＩＤ割付要求メッセージ以外の制御信号の送受信に共用する。
【００３４】
上述の本発明の第７の態様の構成では、端末ＩＤ割付要求メッセージを送信していないタイミングにおいて、ネットワークの所定制御チャネルを用いて、端末装置の正常性確認処理、キャリアレベル調整処理、距離情報調整処理等の他の目的の制御信号を送受信することができ、所定制御チャネルを有効に利用することができる。
【００３５】
本発明の第８の態様は、上述した本発明の第１乃至第７の態様を基本として、以下の構成を有する。
即ち、端末ＩＤの割付が完了した端末装置からセンタ装置が管理する特定端末装置を呼び出したときに、その特定端末装置に割付が完了した端末ＩＤを表示する。
【００３６】
上述した本発明の第８の態様の構成では、端末ＩＤに電話番号を付与する場合に、端末装置側に特別な装置を接続又は装備することなく、端末装置側に接続されたアナログ電話機等から予め決められた特定端末装置を呼び出すだけで、端末ＩＤとそれに対応する電話番号の登録操作をセンタ装置が管理する特定端末装置側で行うことができる。
【００３７】
なお、上述した本発明の第１乃至第８の態様の構成を有する方法を使用するセンタ装置、端末装置、又はそれらを含む通信システムも、本発明に含まれる。
【００３８】
【発明の実施の形態】
以下、図面を参照しながら、本発明の実施の形態について詳細に説明する。
＜本実施の形態の構成及び全体動作＞
図２は、本発明をＣＡＴＶシステムに適用した実施の形態におけるシステム構成概念図である。
【００３９】
本システムは、大きく分けて、センタ装置であるＣＡＴＶセンタ２０１と、端末装置である加入者宅内装置２０２（複数）、及びそれらを接続する伝送路２１７とから構成される。
【００４０】
まず、ＣＡＴＶセンタ２０１に含まれる装置のうち、ディジタルビデオサーバ２０６はディジタルビデオプログラムを蓄積し、画像交換サーバ２０７は、それらのプログラムを配信する。
【００４１】
交換ノード２０４は、加入者宅２０２内の電話（ＴＥＬ）又はモデムが通信するＩＳＤＮ信号を、ＣＡＴＶセンタ２０１構内と他通信事業者網との間で交換する。
【００４２】
ＴＤＭＡ装置２０３は、本発明に特に関連する部分であり、端末ＩＤの割付処理を実行するほか、伝送路２１７上のＲＦ信号のインタフェースであるＴＳＴＢインタフェース２１４と、交換ノード２０４側のＩＳＤＮ信号の１次群インタフェース（ＰＲＩ：Ｐｒｉｍａｒｙ  Ｒａｔｅ  Ｉｎｔｅｒｆａｃｅ）である交換ノードインタフェース２１３とを交換する。
【００４３】
混合／分配器２０５は、画像交換サーバ２０７及びＴＤＭＡ装置２０３からの各ＲＦ信号を混合して伝送路２１７に送出し、逆に、伝送路２１７からのＲＦ信号を画像交換サーバ２０７及びＴＤＭＡ装置２０３に分配する。
【００４４】
保守コンソール２０８は、端末装置である加入者宅内装置２０２の設置時に、自動的に付与された端末ＩＤに対し電話番号を割り当てるために使用される。
管理システム２１０は、ＣＡＴＶセンタ２０１全体の各種管理を行うために使用される。
【００４５】
ＴＤＭＡ装置２０３、保守コンソール２０８、及び管理システム２１０は、イーサネットローカルエリアネットワークのインタフェースであるＬＡＮインタフェース２１５によって相互に接続され、更に、これらの装置は、ブルータ２０９を介して、ディジタルビデオサーバ２０６及び画像交換サーバ２０７と接続される。また、保守コンソール２０８は、ＲＳ−２３２Ｃのインタフェースであるシリアル通信インタフェース２１６によって直接、ＴＤＭＡ装置２０３に接続される。
【００４６】
次に、ＣＡＴＶセンタ２０１と加入者宅内装置２０２とを接続する伝送路２１７は、それが光ファイバケーブルを用いて構成される場合には、電気／光変換器（Ｅ／Ｏ）、光／電気変換器（Ｏ／Ｅ）、増幅器（Ａｍｐ）、タップオフ（ＴＯ）、及び光ファイバケーブルなどによって構成される。また、伝送路２１７は、同軸ケーブルを用いて構成することもできる。
【００４７】
続いて、端末装置である加入者宅内装置２０２に含まれる装置のうち、ＴＳＴＢ（Ｔｅｌｅｐｈｏｎｙ  Ｓｅｔ  Ｔｏｐ  Ｂｏｘ  ）装置２１１は、本発明に特に関連する部分であって、それが始めて伝送路２１７に接続されるときに、ＣＡＴＶセンタ２０１内のＴＤＭＡ装置２０３と連携して、端末ＩＤの自動割付処理を実行する。また、ＴＳＴＢ装置２１１は、アナログ電話機（ＴＥＬ）又はモデムが接続されることにより、図２の矢印付き破線Ａとして示されるように、それらのアナログ電話機又はモデムと他通信事業者網内のアナログ電話機又はモデム等との間で、ＣＡＴＶセンタ２０１内のＴＤＭＡ装置２０３及び交換ノード２０４を介して通信される音声／データ信号を終端する。
【００４８】
ＴＳＴＢ装置２１１には、ＤＳＴＢ（Ｄｉｇｉｔａｌ  Ｓｅｔ  Ｔｏｐ  Ｂｏｘ  ）装置２１２が接続される。このＤＳＴＢ装置２１２は、本発明には直接には関連しないが、テレビジョン（ＴＶ）及びホームターミナル（ＨＴ）が接続されることにより、図２の矢印付き一点鎖線Ｂとして示されるように、ＣＡＴＶセンタ２０１内のＴＤＭＡ装置２０３を介してディジタルビデオサーバ２０６との間で双方向通信を行うことにより、ＶＯＤ（ビデオオンデマンド）サービスを実現する。
【００４９】
次に、図３は、図２のＣＡＴＶセンタ２０１内のＴＤＭＡ装置２０３の構成図である。このＴＤＭＡ装置２０３は、大きく分けて、通話路制御部３０１と、交換ノードインタフェース部３０２と、ＴＳＴＢインタフェース部（下り）３０３と、ＴＳＴＢインタフェース部（上り）３０４と、システム制御部３０５と、電源部３０６とから構成される。
【００５０】
まず、交換ノードインタフェース部３０２は、複数のＰＲＩトランク３０８によって構成される。これらのＰＲＩトランク３０８は、図２の交換ノード２０４に接続されるそれぞれ１．５Ｍｂｐｓ（メガビット／秒）の伝送レートを有する複数のＩＳＤＮプライマリレートインタフェース（ＰＲＩ）のそれぞれを、終端する。このときの終端処理は、各ＰＲＩトランク３０８に含まれるＬＰＲ（ラインプロセッサ）３０９により制御され、そのＬＰＲ３０９は、通話路制御部３０１内の通信制御部３１４によって制御される。また、上記各ＰＲＩにおける同期は、通話路制御部３０１内の網同期制御部３１３によって制御される。
【００５１】
多重／分離部３１１は、交換ノードインタフェース部３０２内の各ＰＲＩトランク３０８から入力されるＩＳＤＮ信号を多重し、通話路メモリ制御部３１０に転送する。逆に、多重／分離部３１１は、通話路メモリ制御部３１０から転送されてきたＩＳＤＮ信号を分離し、それらを交換ノードインタフェース部３０２内の各ＰＲＩトランク３０８に転送する。
【００５２】
通話路メモリ制御部３１０は、システム制御部３０５からの制御に基づいて、各交換ノードインタフェース部３０２によって終端される各交換ノードインタフェース（ＰＲＩ）２１３（図２）上の各Ｂチャネルと、後述するＴＳＴＢインタフェース部（下り）３０３及びＴＳＴＢインタフェース部（上り）３０４によって終端される各ＴＳＴＢインタフェース２１４（図２）上の各Ｂチャネルとを交換する。このＢチャネルは、音声信号又はデータ信号を伝送する。
【００５３】
多重／分離部３１２は、通話路メモリ制御部３１０から転送されてきた交換ノードインタフェース（ＰＲＩ）２１３のＩＳＤＮ信号を多重して、その多重されたＩＳＤＮ信号を、目的とするＴＳＴＢインタフェース部（下り）３０３に転送する。逆に、多重／分離部３１２は、ＴＳＴＢインタフェース部（上り）３０４から転送されてきたＩＳＤＮ信号を分離して、分離されたそれぞれのＩＳＤＮ信号を、通話路メモリ制御部３１０に転送する。
【００５４】
ＴＳＴＢインタフェース部（下り）３０３は、多重部３１５、フレーム組立部３１６、ＱＰＳＫ変調部３１７、及びＲＦ送信部３１８とにより構成される。フレーム組立部３１６は、多重部３１５を介して多重／分離部３１２から受信されたＩＳＤＮ信号を受信すると、そのＩＳＤＮ信号に格納されている各Ｂチャネルが格納されたＴＳＴＢインタフェース２１４（図２）のフレームを組み立てる。この結果生成されたフレームは、ＱＰＳＫ変調部３１７で、ＱＰＳＫ変調される。そして、ＲＦ送信部３１８が、その変調信号を伝送路２１７上のＲＦチャネル信号に変換し、そのＲＦチャネル信号を伝送路２１７に送出する。
【００５５】
一方、ＴＳＴＢインタフェース部（上り）３０４は、ＲＦ受信部３１９、ＱＰＳＫ復調部３２０、フレーム分解部３２１、及び分離部３２２とにより構成される。まず、ＲＦ受信部３１９が、伝送路２１７からＲＦチャネル信号を受信すると、その信号からＱＰＳＫ変調信号を抽出する。続いて、ＱＰＳＫ復調部３２０が、そのＱＰＳＫ変調信号からＴＳＴＢインタフェース２１４のフレームを復調する。更に、フレーム分解部３２１が、そのフレームを分解して各Ｂチャネルを取り出し、それら各Ｂチャネルを含むＩＳＤＮ信号を生成する。そして、そのＩＳＤＮ信号は、分離部３２２を介して多重／分離部３１２に送出される。
【００５６】
次に、システム制御部３０５は、プロセッサバス３０７によって、通話路制御部３０１内の通話路メモリ制御部３１０、網同期制御部３１３、及び通信制御部３１４、並びに、ＴＳＴＢインタフェース部（下り）３０３内のフレーム組立部３１６、ＴＳＴＢインタフェース部（上り）３０４内のフレーム分解部３２１と接続され、これら各装置を制御する。このシステム制御部３０５は、それぞれがプロセッサバス３０７によって相互に接続されるＣＰＵ３２３、ＲＯＭ３２４、ＲＡＭ３２５、ＬＡＮ制御部３２６、及びシリアル通信制御部３２７とから構成される。
【００５７】
ＣＰＵ３２３は、ＲＯＭ３２４に記憶された制御プログラムに従って、ＲＡＭ３２５をワークエリアとして使用しながら、一般的なＢチャネル交換制御処理を実行するほか、後述する図７の動作フローチャートに対応する端末ＩＤの自動割付処理を実行する。
【００５８】
ＬＡＮ制御部３２６は、図２に示されるＬＡＮインタフェース２１５を終端する。シリアル通信制御部３２７は、図２に示されるシリアル通信インタフェース２１６を終端する。
【００５９】
最後に、図３の電源部３０６は、特には図示しない端子盤を経由して電源装置に接続され、電源３２８によって、ＴＤＭＡ装置２０３内の各部分に各種電圧値を有する電力を供給する。
【００６０】
図５は、伝送路２１７上のＴＳＴＢインタフェース２１４（図２）の構成例を示した図である。
伝送路２１７の伝送媒体としては、同軸ケーブル（ＨＦＣ）が使用される。なお、光ファイバケーブルが使用されてもよい。
【００６１】
伝送路２１７の伝送レートは、８．１９２Ｍｂｐｓである。
伝送路２１７上のＲＦチャネルとしては、加入者宅内装置２０２からＣＡＴＶセンタ２０１に向かう上り伝送路２１７では、１０ＭＨｚ〜５０ＭＨｚの周波数帯域内の５チャネルのうち１チャネルが使用され、ＣＡＴＶセンタ２０１から加入者宅内装置２０２に向かう下り伝送路２１７では、２２２ＭＨｚ〜５５０ＭＨｚの周波数帯域内の５４チャネルのうち１チャネルが使用される。
【００６２】
アクセス方式としては、上り伝送路２１７では、ＴＤＭＡ方式が使用され、下り伝送路２１７では、ＴＤＭ方式が使用される。
変調方式としては、前述したように、ＱＰＳＫ変調方式が用いられ、そのボーレートは４．０９６Ｍｂａｕｄである。
【００６３】
伝送路２１７上のＴＳＴＢインタフェース２１４のフレームとしては、上り伝送路２１７では、４０９６バイトのデータ長を有し４ｍｓ（ミリ秒）の時間長を有するフレームが用いられ、下り伝送路２１７では、（１２８バイトのデータ長を有し１２５μｓ（マイクロ秒）の時間長を有するフレーム）×３２フレームのマルチフレームが用いられる。
【００６４】
伝送路２１７上のＴＳＴＢインタフェース２１４のフレーム上のチャネルとしては、上り伝送路２１７では、各チャネルが６４Ｋｂｐｓ（キロビット／秒）の伝送レートを有し音声／データ用の９５チャネルのＢチャネルと、１２８Ｋｂｐｓの伝送レートを有しＶＯＤサービスにおけるインタラクティブ制御用の１チャネルのＣチャネルと、６４Ｋｂｐｓの伝送レートを有し上記Ｂチャネルの呼制御用の１チャネルのＤチャネルと、１６Ｋｂｐｓの伝送レートを有し本発明に特に関連する保守／距離測定用の１チャネルのＭチャネルと、１０Ｋｂｐｓの伝送レートを有し上記Ｃチャネルデータフレームに対する応答用のＡＣＫ−Ｃチャネルと、１０Ｋｂｐｓの伝送レートを有し上記Ｄチャネルデータフレームに対する応答用のＡＣＫ−Ｄチャネルとが使用される。また、下り伝送路２１７では、各チャネルが６４Ｋｂｐｓの伝送レートを有し音声／データ用の９５チャネルのＢチャネルと、２４０Ｋｂｐｓの伝送レートを有しＶＯＤサービスにおけるインタラクティブ制御用の１チャネルのＣチャネルと、１２０Ｋｂｐｓの伝送レートを有し上記Ｂチャネルの呼制御用の１チャネルのＤチャネルと、１６Ｋｂｐｓの伝送レートを有し本発明に特に関連する保守／距離測定用の１チャネルのＭチャネルとが使用される。
【００６５】
ＴＤＭＡ装置２０３において、上り伝送路２１７上の音声／データ用の各Ｂチャネルは、ＴＳＴＢインタフェース部（上り）３０４によって受信された後、通話路制御部３０１及び交換ノードインタフェース部３０２を介して交換ノード２０４へ転送され、逆に、下り伝送路２１７上の各Ｂチャネルは、交換ノード２０４から交換ノードインタフェース部３０２及び通話路制御部３０１を介してＴＳＴＢインタフェース部（下り）３０３によって受信され、下り伝送路２１７に送出される。
【００６６】
また、上り伝送路２１７上のＶＯＤサービスにおけるインタラクティブ制御用のＣチャネル及びＡＣＫ−Ｃチャネルは、ＴＳＴＢインタフェース部（上り）３０４で受信されその中のフレーム分解部３２１で取り出された後、システム制御部３０５内のＣＰＵ３２３により、ＬＡＮ制御部３２６を介して図２のディジタルビデオサーバ２０６に転送される。逆に、下り伝送路２１７上のＣチャネルは、システム制御部３０５内のＣＰＵ３２３により、ディジタルビデオサーバ２０６からＬＡＮ制御部３２６を介して、ＴＳＴＢインタフェース部（下り）３０３内のフレーム組立部３１６に転送された後、下り伝送路２１７に送出される。
【００６７】
上り伝送路２１７上のＢチャネルの呼制御用のＤチャネル及びＡＣＫ−Ｄチャネルは、ＴＳＴＢインタフェース部（上り）３０４で受信されその中のフレーム分解部３２１で取り出された後、システム制御部３０５内のＣＰＵ３２３によって処理される。逆に、下り伝送路２１７上のＤチャネルは、システム制御部３０５内のＣＰＵ３２３によってＴＳＴＢインタフェース部（下り）３０３内のフレーム組立部３１６に転送された後、下り伝送路２１７に送出される。
【００６８】
更に、上り伝送路２１７上の保守／距離測定用のＭチャネルは、ＴＳＴＢインタフェース部（上り）３０４で受信されその中のフレーム分解部３２１で取り出された後、システム制御部３０５内のＣＰＵ３２３によって処理される。逆に、下り伝送路２１７上のＭチャネルは、システム制御部３０５内のＣＰＵ３２３によってＴＳＴＢインタフェース部（下り）３０３内のフレーム組立部３１６に転送された後、下り伝送路２１７に送出される。このＭチャネルに対する処理には、本発明に特に関連する端末ＩＤの自動割付処理が含まれており、この処理については、図７の動作フローチャート等を用いて後述する。
【００６９】
次に、図４は、図２に示される加入者宅内装置２０２内のＴＳＴＢ装置２１１の構成図である。
まず、ＴＳＴＢ装置２１１の外部に設置される分配器４０９は、伝送路２１７上のＴＳＴＢインタフェース２１４（図２）の信号をＴＳＴＢ装置２１１に分配し、ＶＯＤサービス信号をＤＳＴＢ装置２１２に分配する。また、ＡＣ１００ボルトの電圧の家庭用電源に接続される外付けの電源部４１０は、ＴＳＴＢ装置２１１に電力を供給する。
【００７０】
ＴＳＴＢ装置２１１に含まれる装置のうち、モデム部４０１は、分配器４０９を介して下り伝送路２１７から転送されてくるＲＦチャネル信号を受信すると、その信号からＱＰＳＫ変調信号を抽出し、そのＱＰＳＫ変調信号からＴＳＴＢインタフェース２１４のフレームを復調し、そのフレームをフレーム終端部４０２に転送する。逆に、モデム部４０１は、フレーム終端部４０２から転送されてきたフレームをＱＰＳＫ変調し、その変調信号を伝送路２１７上のＲＦチャネル信号に変換して、そのＲＦチャネル信号を分配器４０９を介して上り伝送路２１７に送出する。
【００７１】
フレーム終端部４０２は、モデム部４０１から転送されてきたフレームを分解して、そのフレームに含まれている各チャネルを取り出し、対応するチャネルをアナログＴＥＬインタフェース部４０３、アナログＴＥＬインタフェース／ＤＳＴＢインタフェース部４０４、及びＣＰＵ４０７に転送する。逆に、フレーム終端部４０２は、アナログＴＥＬインタフェース部４０３、アナログＴＥＬインタフェース／ＤＳＴＢインタフェース部４０４、及びＣＰＵ４０７から転送されてきた各チャネルからフレームを組み立て、そのフレームをモデム部４０１に転送する。
【００７２】
具体的には、フレーム終端部４０２は、下り伝送路２１７上の音声／データ用の各Ｂチャネル（図５参照）を、アナログＴＥＬインタフェース部４０３又はアナログＴＥＬインタフェース／ＤＳＴＢインタフェース部４０４に転送する。アナログＴＥＬインタフェース部４０３及びアナログＴＥＬインタフェース／ＤＳＴＢインタフェース部４０４は、フレーム終端部４０２から受信したＢチャネルをアナログ電話音声信号に変換し、それらに接続されているアナログ電話機又はモデムに送出する。逆に、アナログＴＥＬインタフェース部４０３及びアナログＴＥＬインタフェース／ＤＳＴＢインタフェース部４０４は、それらに接続されているアナログ電話機又はモデムから受信したアナログ電話音声信号をＢチャネルに変換して、それらをフレーム終端部４０２に転送する。フレーム終端部４０２は、それらの転送されてきたＢチャネルを、上り伝送路２１７上の各Ｂチャネル（図５参照）としてモデム部４０１に送出する。
【００７３】
また、フレーム終端部４０２は、下り伝送路２１７上のＶＯＤサービスにおけるインタラクティブ制御用のＣチャネル（図５参照）を、アナログＴＥＬインタフェース部４０３又はアナログＴＥＬインタフェース／ＤＳＴＢインタフェース部４０４に転送する。アナログＴＥＬインタフェース／ＤＳＴＢインタフェース部４０４は、フレーム終端部４０２から受信したＣチャネルを、それに接続されているＤＳＴＢ装置２１２（図２）に送出する。逆に、アナログＴＥＬインタフェース／ＤＳＴＢインタフェース部４０４は、それに接続されているＤＳＴＢ装置２１２から受信したＣチャネル及びＡＣＫ−Ｃチャネル（図５参照）を、フレーム終端部４０２に転送する。フレーム終端部４０２は、それらの転送されてきた各チャネルを、上り伝送路２１７上のＣチャネル及びＡＣＫ−Ｃチャネル（図５参照）としてモデム部４０１に送出する。
【００７４】
また、フレーム終端部４０２は、下り伝送路２１７上のＢチャネルの呼制御用のＤチャネル（図５参照）を、ＣＰＵ４０７に転送する。ＣＰＵ４０７は、フレーム終端部４０２から転送されたＤチャネルを処理する。逆に、ＣＰＵ４０７は、生成したＤチャネル及びＡＣＫ−Ｄチャネルを、フレーム終端部４０２に転送する。フレーム終端部４０２は、それらの転送されてきた各チャネルを、上り伝送路２１７上のＤチャネル及びＡＣＫ−Ｄチャネル（図５参照）としてモデム部４０１に送出する。
【００７５】
更に、フレーム終端部４０２は、下り伝送路２１７上の保守／距離測定用のＭチャネル（図５参照）を、ＣＰＵ４０７に転送する。ＣＰＵ４０７は、フレーム終端部４０２から転送されたＭチャネルを処理する。逆に、ＣＰＵ４０７は、生成したＭチャネルを、フレーム終端部４０２に転送する。フレーム終端部４０２は、その転送されてきたＭチャネルを、上り伝送路２１７上のＭチャネル（図５参照）としてモデム部４０１に送出する。上述のＣＰＵ４０７によるＭチャネルに対する処理には、本発明に特に関連する端末ＩＤの自動割付処理が含まれており、この処理については、図８の動作フローチャート等を用いて後述する。
【００７６】
最後に、不揮発性のメモリ４０８には、端末ＩＤが登録される。
＜端末ＩＤの自動割付処理＞
以上の構成を有する本実施の形態における端末ＩＤの自動割付処理について、以下に詳細に説明する。
【００７７】
図７は、端末ＩＤの自動割付処理に関してＴＤＭＡ装置２０３（図２、図３）内のシステム制御部３０５内のＣＰＵ３２３が実行する制御動作を示すフローチャートである。このフローチャートによって示される制御動作は、ＣＰＵ３２３が、ＲＡＭ３２５をワークメモリとして用いながら、ＲＯＭ３２４（図３）に記憶されている制御プログラムを実行する結果として実現される。
【００７８】
図８は、端末ＩＤの自動割付処理に関してＴＳＴＢ装置２１１（図２、図４）内のＣＰＵ４０７が実行する制御動作を示すフローチャートである。このフローチャートによって示される制御動作は、ＣＰＵ４０７が、ＣＰＵ４０７の内部の特には図示しないＲＯＭに記憶されている制御プログラムを実行する結果として実現される。
正常シーケンス
上述の図７及び図８の動作フローチャートを用いながら、まず、端末ＩＤの自動割付処理の正常シーケンスにつき、図９のシーケンス図に沿って説明する。
【００７９】
まず、図２のＴＳＴＢ装置２１１が始めて伝送路２１７が接続されている図４の分配器４０９に接続され電源が投入されると、ＴＳＴＢ装置２１１内のＣＰＵ４０７は、自身がこれから通信を行うＲＦチャネルと、通信相手であるＣＡＴＶセンタ２０１内のＴＤＭＡ装置２０３のＩＤであるＴＤＭＡＩＤを確認する処理を実行する（図８の８０１、図９の９０１）。この処理を実現するために、ＴＤＭＡ装置２０３内のＣＰＵ３２３は、伝送路２１７に、ＴＤＭＡ情報通知メッセージを定期的に送出している（図９の９０２）。このメッセージは、下り伝送路２１７上のＭチャネル（図５）を使用し、前述のように、ＴＳＴＢインタフェース部（下り）３０３内のフレーム組立部３１６（図３）を介して送出される。本実施の形態では、Ｍチャネルは、８オクテットのデータ長を有しており、先頭の２オクテットがヘッダ部、それに続く４オクテットがデータ部、最後の２オクテットが誤り検出／訂正のためのＣＲＣ（Ｃｙｃｌｉｃ  Ｒｅｄｕｎｄａｎｃｙ  Ｃｏｄｅ）である。そして、ＴＤＭＡ情報通知メッセージが送出される場合、Ｍチャネルのヘッダ部にはそのＭチャネルに応答を促すグローバルメッセージが格納されていることを示す２オクテット長のコード３ＦＦＦが格納され、データ部には、ＴＤＭＡＩＤと、上り伝送路２１７で使用すべきＲＦチャネルが格納される。ＣＰＵ４０７は、下り伝送路２１７から図４のモデム部４０１及びフレーム終端部４０２を介して、上述のＭチャネルに格納されたＴＤＭＡ情報通知メッセージを受信することにより、上り伝送路２１７で使用するＲＦチャネルと、ＴＤＭＡＩＤを確認する。
【００８０】
ＣＰＵ４０７は、上記確認動作の後、内部で乱数を発生させることにより、仮ＴＩＤを生成する（図８の８０２、図９の９０３）。
ＴＤＭＡ装置２０３内のＣＰＵ３２３は、仮ＴＩＤの下１桁（Ｉ）をサイクリックに変化させながら（図７の７０１）、一定時間間隔で（図７の７０２）、下り伝送路２１７に、上述の仮ＴＩＤの下１桁（Ｉ）を指定した端末ＩＤ割付要求メッセージ（ＴＩＤ割付要求メッセージ）を送出している（図７のステップ７０１〜７０４の処理ループ、図９の９０４）。上述の仮ＴＩＤの下１桁（Ｉ）は、０〜１５の値をとり得る。図７のステップ７０１では、上述の値Ｉが０から＋１ずつインクリメントされ、その値が１５を超えると再び０に戻るように処理が実行される。このような仮ＴＩＤの下１桁（Ｉ）を指定する理由は、後述するように、伝送路２１７上で新規かつほぼ同時に接続されたＴＳＴＢ装置２１１（加入者宅内装置２０２）に対する端末ＩＤの自動割付処理を、分散させるためである。このＴＩＤ割付要求メッセージも、下り伝送路２１７上のＭチャネル（図５）を使用し、前述のように、ＴＳＴＢインタフェース部（下り）３０３内のフレーム組立部３１６（図３）を介し、送出される。この場合、Ｍチャネルのヘッダ部にはそのＭチャネルに応答を促すグローバルメッセージが格納されていることを示すコード３ＦＦＦが格納され、データ部には、図６（ａ）  に示されるように、ＴＩＤ割付要求を示す１オクテット長のコードと、４ビット長の仮ＴＩＤの下１桁（Ｉ）と、２オクテット長の本端末ＩＤ（本ＴＩＤ）が指定される。この本ＴＩＤは、ＣＰＵ３２３が、次に伝送路２１７に新規に接続されたＴＳＴＢ装置２１１（加入者宅内装置２０２）に対して新たに割り当てるべき端末ＩＤの値を示している。
【００８１】
これに対して、ＴＳＴＢ装置２１１内のＣＰＵ４０７は、仮ＴＩＤを生成した後、下り伝送路２１７から図４のモデム部４０１及びフレーム終端部４０２を介して、上述のＭチャネルに格納されたＴＩＤ割付要求メッセージを受信する（図８の８０３、図９の９０５）。ＣＰＵ４０７は、上記メッセージの受信の後、自身が端末ＩＤを割付済みか否かを判定する（図８の８０４、図９の９０５）。自身が端末ＩＤを割付済みであると判定したなら、以後の端末ＩＤの自動割付処理は実行する必要はないので、ＣＰＵ４０７は、図８の動作フローチャートの制御動作を終了する。一方、ＣＰＵ４０７は、上記ＴＩＤ割付要求メッセージの受信の後、自身が端末ＩＤを割付済みではないと判定したなら、更に、上記メッセージに含まれている仮ＴＩＤの下１桁（Ｉ）が、自身が予め生成している仮ＴＩＤ（図８のステップ８０２、図９の９０３）の下１桁と一致するか否かを判定する（図８の８０５、図９の９０５）。ＣＰＵ４０７は、これら両者が一致しなければ、以後の端末ＩＤの自動割付処理は実行せずに次のＴＩＤ割付要求メッセージの受信を待つ（図８の８０５→８０３）。そして、ＣＰＵ４０７は、これら両者が一致した場合にのみ、以後の端末ＩＤの自動割付処理を実行する（図８の８０５→８０６、図９の９０５）。
【００８２】
このように、本実施の形態では、ＴＤＭＡ装置２０３から下り伝送路２１７に送出されるＴＩＤ割付要求メッセージにおいて仮ＴＩＤの下１桁（Ｉ）が指示され、自身がランダムに生成した仮ＴＩＤの下１桁が上記ＴＩＤ割付要求メッセージにおいて指示されている仮ＴＩＤの下１桁（Ｉ）と一致したＴＳＴＢ装置２１１のみが端末ＩＤの自動割付処理を実行することにより、同時にその処理を実行する端末数を制限することができる。ＴＤＭＡ装置２０３は、前述したように、上記仮ＴＩＤの下１桁（Ｉ）を０〜１５の範囲でサイクリックに変化させながらＴＩＤ割付要求メッセージを一定時間間隔で送出しているため、新規に伝送路２１７に接続するＴＳＴＢ装置２１１（加入者宅内装置２０２）は、いつかは必ず端末ＩＤの割付処理を実行することができ、しかも競合が発生する確率を１／１６に抑えることができる。
【００８３】
ＣＰＵ４０７は、ＴＩＤ割付要求メッセージに含まれている仮ＴＩＤの下１桁（Ｉ）が、自身が予め生成している仮ＴＩＤの下１桁と一致したと判定すると、上り伝送路２１７に、受信したＴＩＤ割付要求メッセージに含まれている本ＴＩＤと自身が予め生成している仮ＴＩＤとが設定されたＴＩＤ割付要求ＡＣＫメッセージを送出する（図８の８０６、図９の９０５、９０６）。ＴＩＤ割付要求ＡＣＫメッセージは、上り伝送路２１７のＭチャネル（図５）を使用し、前述のように、フレーム終端部４０２（図４）を介して送出される。この場合、Ｍチャネルのヘッダ部には、自身が予め生成している２オクテット長の仮ＴＩＤが格納され、データ部には、図６（ｂ）  に示されるように、ＴＩＤ割付要求ＡＣＫを示す１オクテット長のコードと、２オクテット長の本ＴＩＤが指定される。なお、ＴＩＤ割付要求ＡＣＫメッセージに本ＴＩＤが指定されるのは、確認のためである。なお、ＣＰＵ４０７は、ＴＩＤ割付要求メッセージに含まれている本ＴＩＤを、内部のレジスタ等に保存しておく。
【００８４】
これに対して、ＴＤＭＡ装置２０３内のＣＰＵ３２３は、ＴＩＤ割付要求メッセージを一定時間間隔で送出している間に（図７の７０１〜７０４の処理ループ）、上り伝送路２１７から上記ＴＩＤ割付要求ＡＣＫメッセージが受信されたか否かを監視している（図７の７０４）。このメッセージは、上り伝送路２１７上のＭチャネル（図５）を使用し、前述のように、ＴＳＴＢインタフェース部（上り）３０４内のフレーム分解部３２１（図３）を介して受信される。
【００８５】
ＣＰＵ３２３は、上り伝送路２１７からＴＩＤ割付要求ＡＣＫメッセージを受信すると、まずそのメッセージに付加されているＣＲＣを検査することにより、伝送エラーが発生しているか否かを判定する（図７の７０５、図９の９０７）。通常、ＴＤＭＡ装置２０３から下り伝送路２１７に送出された１つのＴＩＤ割付要求メッセージに対して複数のＴＳＴＢ装置２１１が応答し、それらから上り伝送路２１７に同時にＴＩＤ割付要求ＡＣＫメッセージが送出された場合、上り伝送路２１７上でフレームの衝突が発生し、上記伝送エラーが発生し得る。
【００８６】
ＣＰＵ３２３は、ＴＩＤ割付要求ＡＣＫメッセージの受信において伝送エラーが発生していないと判定すると、更に現在、ＴＩＤ割付要求ＡＣＫメッセージを複数続けて受信しているか否かを判定する（図７の７０７、図９の９０７）。上述のように、ＴＤＭＡ装置２０３から下り伝送路２１７に送出された１つのＴＩＤ割付要求メッセージに対して複数のＴＳＴＢ装置２１１が応答し、それらから上り伝送路２１７にＴＩＤ割付要求ＡＣＫメッセージが送出された場合、応答した複数のＴＳＴＢ装置２１１の間の伝送路２１７の距離が長いと、それらから上り伝送路２１７に送出されたＴＩＤ割付要求ＡＣＫメッセージは互いに衝突せずにＴＤＭＡ装置２０３で受信される場合が、まれに発生し得る。上記判定処理では、このような場合がチェックされる。
【００８７】
ＣＰＵ３２３は、現在、ＴＩＤ割付要求ＡＣＫメッセージを複数続けて受信していると判定した場合には、最も早く受信したメッセージのみを有効なメッセージとして処理する（図７の７０８）。
【００８８】
ＣＰＵ３２３は、現在、ＴＩＤ割付要求ＡＣＫメッセージを複数続けて受信していないと判定した場合、或いは、現在、ＴＩＤ割付要求ＡＣＫメッセージを複数続けて受信していると判定した場合であって最も早く受信したメッセージのみを有効なメッセージとして処理した場合に、下り伝送路２１７に、受信したＴＩＤ割付要求ＡＣＫメッセージに格納されていた仮ＴＩＤが設定されたＴＩＤ割付成功メッセージを送出する（図７の７０９、図９の９０７、９０８）。ＴＩＤ割付成功メッセージは、下り伝送路２１７上のＭチャネル（図５）を使用し、前述のように、ＴＳＴＢインタフェース部（下り）３０３内のフレーム組立部３１６（図３）を介し、送出される。この場合に、Ｍチャネルのヘッダ部には２オクテット長の上記仮ＴＩＤが格納され、データ部には、図６（ｃ）  に示されるように、ＴＩＤ割付成功を示す１オクテット長のコードと、２オクテット長の距離測定結果と、１オクテット長のキャリアレベルが格納される。これらの距離測定結果及びキャリアレベルは、本発明には直接には関連しないため、その詳細については省略する。
【００８９】
これに対して、ＴＳＴＢ装置２１１内のＣＰＵ４０７は、上り伝送路２１７にＴＩＤ割付要求ＡＣＫメッセージを送出した後、下り伝送路２１７から規定時間内にＴＩＤ割付失敗メッセージ（後述する）又はＴＩＤ割付成功メッセージを受信したか否かを並列に監視している（図８の８０７、８０８）。これらのメッセージは、下り伝送路２１７上のＭチャネル（図５）を使用し、前述のように、ＴＳＴＢ装置２１１内のフレーム終端部４０２（図４）を介して受信される。
【００９０】
ＣＰＵ４０７は、規定時間内にＴＩＤ割付成功メッセージを受信すると、このメッセージに格納されている仮ＴＩＤが、自身が予め生成している仮ＴＩＤ（図８の８０２）と一致するか否かを判定する（図８の８０９、図９の９０９）。前述したように、ＴＳＴＢ装置２１１は、ＴＩＤ割付要求ＡＣＫメッセージをＴＤＭＡ装置２０３に向けて送出する場合に、そのメッセージに自身が予め生成している仮ＴＩＤを格納してそのメッセージを送出し、ＴＤＭＡ装置２０３は、そのＴＩＤ割付要求ＡＣＫメッセージに応答してＴＩＤ割付成功メッセージをＴＳＴＢ装置２１１に送出する場合に、そのメッセージに受信したＴＩＤ割付要求ＡＣＫメッセージに格納されていた仮ＴＩＤをそのまま格納して送出する。従って、通常は、受信されたＴＩＤ割付成功メッセージに格納されている仮ＴＩＤは、それを受信したＴＳＴＢ装置２１１が予め生成している仮ＴＩＤと一致する。但し前述したように、ＴＤＭＡ装置２０３は、ＴＩＤ割付要求ＡＣＫメッセージを複数続けて受信しかつ最も早く受信したメッセージのみを有効なメッセージとして処理する場合があり得る。この場合には、ＴＩＤ割付成功メッセージを受信したＴＳＴＢ装置２１１がそれに先だってＴＤＭＡ装置２０３に向けて送出したＴＩＤ割付要求ＡＣＫメッセージがＴＤＭＡ装置２０３において処理されなかった可能性がある。上記判定処理では、このような場合がチェックされる。この判定処理により、端末ＩＤの二重割付を回避することができると共に、１つのＴＩＤ割付要求ＡＣＫメッセージについて端末ＩＤの自動割付処理を続行することができる。
【００９１】
なお、ＴＤＭＡ装置２０３が、ＴＩＤ割付要求ＡＣＫメッセージを複数続けて受信した場合には、図７のステップ７０８を実行せずに、後述するＴＩＤ割付失敗メッセージを送出するように構成することもでき、その場合には、ＴＳＴＢ装置２１１は、上記判定処理を実行する必要はない。
【００９２】
ＣＰＵ４０７は、受信したＴＩＤ割付成功メッセージに格納されている仮ＴＩＤが、自身が予め生成している仮ＴＩＤと一致したと判定した場合、上り伝送路２１７に、自身が予め生成している仮ＴＩＤと内部のレジスタ等に保存してあった本ＴＩＤとが設定されたＴＩＤ割付成功ＡＣＫメッセージを送出する（図８の８１０、図９の９０９、９１０）。なお、この本ＴＩＤは、ＣＰＵ４０７が、最初にＴＩＤ割付要求メッセージを受信したときに、内部のレジスタ等に保存しておいたものである（図８の８０６の説明を参照）。ＴＩＤ割付成功ＡＣＫメッセージは、上り伝送路２１７のＭチャネル（図５）を使用し、前述のように、フレーム終端部４０２（図４）を介して送出される。この場合、Ｍチャネルのヘッダ部には、自身が予め生成している２オクテット長の仮ＴＩＤが格納され、データ部には、図６（ｄ）  に示されるように、ＴＩＤ割付成功ＡＣＫを示す１オクテット長のコードと、２オクテット長の本ＴＩＤが指定される。
【００９３】
これと共に、ＣＰＵ４０７は、上記本ＴＩＤを、自身の端末ＩＤとして、不揮発性のメモリ４０８に登録する（図８の８１１、図９の９０９）。
ＴＤＭＡ装置２０３内のＣＰＵ３２３は、ＴＩＤ割付成功メッセージを下り伝送路２１７に送出した後（図７の７０９）、規定時間内に上り伝送路２１７から上記ＴＩＤ割付成功ＡＣＫメッセージが受信されたか否かを監視している（図７の７１０）。このメッセージは、上り伝送路２１７上のＭチャネル（図５）を使用し、前述のように、ＴＳＴＢインタフェース部（上り）３０４内のフレーム分解部３２１（図３）を介して受信される。
【００９４】
ＣＰＵ３２３は、上り伝送路２１７からＴＩＤ割付成功ＡＣＫメッセージを受信すると、先にＴＩＤ割付要求メッセージによって送出した本ＴＩＤの割付に成功したと判定し、そのＩＤを、割付済みの端末ＩＤとしてＲＡＭ３２５（図３）等に記憶する（図７の７１１、図９の９１１）。
【００９５】
以上説明したシーケンスでは、ＴＤＭＡ装置２０３の主導により、ＴＩＤ割付要求メッセージが送信されるため、ＴＤＭＡ装置２０３はＴＳＴＢ装置２１１からのＴＩＤ割付要求ＡＣＫメッセージの競合を監視することができ、適切な端末ＩＤの自動割付処理を実行することができる。
【００９６】
また、上述のシーケンスでは、ＴＳＴＢ装置２１１がランダムに生成した仮ＴＩＤを認識しながらＴＤＭＡ装置２０３とＴＳＴＢ装置２１１との間で、ＴＩＤ割付要求ＡＣＫメッセージ、端末ＩＤ割付成功メッセージ、又はＴＩＤ割付成功ＡＣＫメッセージ等の通信が行われることによって、複数のＴＳＴＢ装置２１１（加入者宅内装置２０２）に対する端末ＩＤの自動割付の競合制御を適切に実行することができる。
【００９７】
また、上述のシーケンスでは、ＴＤＭＡ装置２０３が、複数のＴＳＴＢ装置２１１から送信されたＴＩＤ割付要求ＡＣＫメッセージの競合（ＣＲＣエラー又は複数のメッセージの受信）を検出した場合に、ＴＤＭＡ装置２０３が各ＴＳＴＢ装置２１１にＴＩＤ割付失敗メッセージを送信して各ＴＳＴＢ装置２１１に対して端末ＩＤの自動割付処理を中止させることにより、端末ＩＤの二重割付を回避することができる。
【００９８】
更に、上述のシーケンスでは、ＴＤＭＡ装置２０３はＴＩＤ割付要求メッセージを一定時間間隔で下り伝送路のＭチャネルを用いて送信することにより、そのメッセージを送信していないタイミングにおいて、Ｍチャネルを用いて、ＴＳＴＢ装置２１１の正常性確認処理、キャリアレベル調整処理、距離情報調整処理等の他の目的の制御信号を送受信することができ、Ｍチャネルを有効に利用することができる。
失敗シーケンス１
次に、図７及び図８の動作フローチャートを用いながら、端末ＩＤの自動割付処理の失敗シーケンス１につき、図１０のシーケンス図に沿って説明する。
【００９９】
まず、図９で説明した正常シーケンスの場合と同様に、ＴＤＭＡ装置２０３から下り伝送路２１７への一定時間間隔毎のＴＩＤ割付要求メッセージの送信（図９と同様の図１０の９０４）、それに対するＴＳＴＢ装置２１１からＴＤＭＡ装置２０３へのＴＩＤ割付要求ＡＣＫメッセージの返信（図９と同様の図１０の９０５、９０６）が行われる。
【０１００】
ＴＤＭＡ装置２０３内のＣＰＵ３２３は、前述したように、上り伝送路２１７からＴＩＤ割付要求ＡＣＫメッセージを受信する（図７の７０４→７０５）。そして、ＣＰＵ３２３は、そのメッセージに付加されているＣＲＣを検査することにより、伝送エラーが発生しているか否かを判定する（図７の７０５、図１０の１００１）。前述したように、ＴＤＭＡ装置２０３から下り伝送路２１７に送出された１つのＴＩＤ割付要求メッセージに対して複数のＴＳＴＢ装置２１１が応答し、それらから上り伝送路２１７に同時にＴＩＤ割付要求ＡＣＫメッセージが送出された場合、上り伝送路２１７上でフレームの衝突が発生し、上記伝送エラーが発生し得る。
【０１０１】
ＣＰＵ３２３は、ＣＲＣエラーを検出すると、下り伝送路２１７に、ＴＩＤ割付失敗メッセージを送出する（図７の７０６、図１０の１００１、１００２）。ＴＩＤ割付失敗メッセージは、下り伝送路２１７上のＭチャネル（図５）を使用し、前述のように、ＴＳＴＢインタフェース部（下り）３０３内のフレーム組立部３１６（図３）を介し、送出される。この場合に、Ｍチャネルのヘッダ部にはそのＭチャネルに応答を促すグローバルメッセージが格納されていることを示す２オクテット長のコード３ＦＦＦが格納され、データ部には、図６（ｅ）  に示されるように、ＴＩＤ割付失敗を示す１オクテット長のコードが格納される。
【０１０２】
これに対し、ＴＳＴＢ装置２１１内のＣＰＵ４０７は、前述のように、上り伝送路２１７にＴＩＤ割付要求ＡＣＫメッセージを送出した後、下り伝送路２１７から規定時間内にＴＩＤ割付失敗メッセージ又はＴＩＤ割付成功メッセージを受信したか否かを並列に監視している（図８の８０７、８０８）。
【０１０３】
そして、ＣＰＵ４０７は、規定時間内にＴＩＤ割付失敗メッセージを受信すると、自身が上り伝送路２１７に送信したＴＩＤ割付要求ＡＣＫメッセージが他のＴＳＴＢ装置２１１がほぼ同時に上り伝送路２１７に送信したＴＩＤ割付要求ＡＣＫメッセージと衝突したと認識し、次のリトライ時における衝突を回避するためにランダムタイミングがセットされたタイマを起動し、その間は下り伝送路２１７からのＴＩＤ割付要求メッセージ等の全てのメッセージの受信を拒否する（図８の８１２及び８１３のループ、図１０の１００４、１００５）。このようなタイマ処理が、衝突を発生させた全てのＴＳＴＢ装置２１１（加入者宅内装置２０２）において実行されることにより、次のリトライ時にも同じタイミングで再度ＴＩＤ割付要求ＡＣＫメッセージを送出してしまうという事態を回避することができる。
【０１０４】
ＣＰＵ４０７は、上記タイマがタイムアウトすると、次のＴＩＤ割付要求メッセージの受信待ちの状態に遷移する（図８の８１３→８０３、図１０の１００６）。
失敗シーケンス２
続いて、図７及び図８の動作フローチャートを用いながら、端末ＩＤの自動割付処理の失敗シーケンス２につき、図１１のシーケンス図に沿って説明する。
【０１０５】
このシーケンスは、上述の失敗シーケンス１の場合と同様に、ＴＤＭＡ装置２０３内のＣＰＵ３２３が、ＣＲＣエラーを検出することにより、下り伝送路２１７に、ＴＩＤ割付失敗メッセージを送出し（図７の７０６、図１０と同様の図１１の１００１、１００２）、これに対し、ＴＳＴＢ装置２１１内のＣＰＵ４０７が、上り伝送路２１７にＴＩＤ割付要求ＡＣＫメッセージを送出した後、下り伝送路２１７から規定時間内にＴＩＤ割付成功メッセージはおろか、ＣＲＣエラーにより上記ＴＩＤ割付失敗メッセージも受信できない場合のものである。
【０１０６】
この場合には、ＴＳＴＢ装置２１１内のＣＰＵ４０７は、次のＴＩＤ割付要求メッセージの受信待ちの状態に遷移する（図８の８０８→８０３、図１１の１１０１）。
失敗シーケンス３
次に、図７及び図８の動作フローチャートを用いながら、端末ＩＤの自動割付処理の失敗シーケンス３につき、図１２のシーケンス図に沿って説明する。
【０１０７】
まず、図９で説明した正常シーケンスの場合と同様に、ＴＤＭＡ装置２０３から下り伝送路２１７への一定時間間隔毎のＴＩＤ割付要求メッセージの送信（図９と同様の図１２の９０４）、それに対するＴＳＴＢ装置２１１からＴＤＭＡ装置２０３へのＴＩＤ割付要求ＡＣＫメッセージの返信（図９と同様の図１２の９０５、９０６）、それに応答してＴＤＭＡ装置２０３からＴＳＴＢ装置２１１へのＴＩＤ割付成功メッセージの送信（図９と同様の図１２の９０７、９０８）が行われる。
【０１０８】
これに対し、ＴＳＴＢ装置２１１内のＣＰＵ４０７は、前述のように、上り伝送路２１７にＴＩＤ割付要求ＡＣＫメッセージを送出した後、下り伝送路２１７から規定時間内にＴＩＤ割付失敗メッセージ又はＴＩＤ割付成功メッセージを受信したか否かを並列に監視している（図８の８０７、８０８）。
【０１０９】
しかし、上述のＴＩＤ割付成功メッセージの送信においてＣＲＣエラーが発生して、ＣＰＵ４０７が、規定時間内にＴＩＤ割付失敗メッセージ及びＴＩＤ割付成功メッセージのいずれをも受信できなかった場合には、次のＴＩＤ割付要求メッセージの受信待ちの状態に遷移する（図８の８０８→８０３、図１２の１２０１）。
【０１１０】
この場合には、ＴＳＴＢ装置２１１からＴＤＭＡ装置２０３へのＴＩＤ割付成功ＡＣＫメッセージの返信は行われない。
ＴＤＭＡ装置２０３内のＣＰＵ３２３は、ＴＩＤ割付成功メッセージを下り伝送路２１７に送出した後（図７の７０９）、規定時間内に上り伝送路２１７から上記ＴＩＤ割付成功ＡＣＫメッセージが受信されたか否かを監視しているが（図７の７１０）、上述の場合には、ＣＰＵ３２３は、上り伝送路２１７からＴＩＤ割付成功ＡＣＫメッセージを受信することができない。
【０１１１】
この場合には、ＣＰＵ３２３は、所定回数までのＴＩＤ割付成功メッセージの再送を試みる（図７の７１０→７１２→７０９→７１０の処理ループ）。そしてもし、所定回数の再送にも失敗した場合には、ＣＰＵ３２３は、端末ＩＤの自動割付手順が失敗したと認識して、ＴＩＤ割付要求メッセージの再送信処理に戻る（図７の７１２→７１３→７０１、図１２の１２０２）。
失敗シーケンス４
次に、図７及び図８の動作フローチャートを用いながら、端末ＩＤの自動割付処理の失敗シーケンス４につき、図１３のシーケンス図に沿って説明する。
【０１１２】
まず、図９で説明した正常シーケンスの場合と同様に、ＴＤＭＡ装置２０３から下り伝送路２１７への一定時間間隔毎のＴＩＤ割付要求メッセージの送信、それに対するＴＳＴＢ装置２１１からＴＤＭＡ装置２０３へのＴＩＤ割付要求ＡＣＫメッセージの返信（図９と同様の図１３の９０５、９０６）、それに応答してＴＤＭＡ装置２０３からＴＳＴＢ装置２１１へのＴＩＤ割付成功メッセージの送信（図９と同様の図１３の９０７、９０８）、更にそれに対するＴＳＴＢ装置２１１からＴＤＭＡ装置２０３へのＴＩＤ割付成功ＡＣＫメッセージの返信（図９と同様の図１３の９０９、９１０）が行われる。
【０１１３】
ＴＤＭＡ装置２０３内のＣＰＵ３２３は、ＴＩＤ割付成功メッセージを下り伝送路２１７に送出した後（図７の７０９）、規定時間内に上り伝送路２１７から上記ＴＩＤ割付成功ＡＣＫメッセージが受信されたか否かを監視しているが（図７の７１０）、上述のＴＩＤ割付成功ＡＣＫメッセージの返信においてＣＲＣエラーが発生することにより、ＣＰＵ３２３は、上り伝送路２１７からＴＩＤ割付成功ＡＣＫメッセージを受信することができない。
【０１１４】
この場合には、ＣＰＵ３２３は、所定回数までのＴＩＤ割付成功メッセージの再送を試みる（図７の７１０→７１２→７０９→７１０の処理ループ）。これに対して、ＴＳＴＢ装置２１１内のＣＰＵ４０７は、期待していないＴＩＤ割付成功メッセージを受信することになり、この場合には、特には図示しないが、ＣＰＵ４０７は、次のＴＩＤ割付要求メッセージの受信待ちの状態に遷移する（図１３の１３０２、１３０３）。ＴＤＭＡ装置２０３内のＣＰＵ３２３においては、当然、所定回数の再送に失敗することになり、これによりＣＰＵ３２３は、端末ＩＤの自動割付手順が失敗したと認識して、ＴＩＤ割付要求メッセージの再送信処理に戻る（図７の７１２→７１３→７０１、図１３の１３０１）。
失敗シーケンス５
特にはシーケンス図は示さないが、失敗シーケンス５について説明する。
【０１１５】
まず、図９で説明した正常シーケンスの場合と同様に、ＴＤＭＡ装置２０３から下り伝送路２１７への一定時間間隔毎のＴＩＤ割付要求メッセージの送信、それに対するＴＳＴＢ装置２１１からＴＤＭＡ装置２０３へのＴＩＤ割付要求ＡＣＫメッセージの返信、それに応答してＴＤＭＡ装置２０３からＴＳＴＢ装置２１１へのＴＩＤ割付成功メッセージの送信が行われる。
【０１１６】
ＴＳＴＢ装置２１１内のＣＰＵ４０７は、規定時間内にＴＩＤ割付成功メッセージを受信すると、このメッセージに格納されている仮ＴＩＤが、自身が予め生成している仮ＴＩＤ（図８の８０２）と一致するか否かを判定する（図８の８０９、図９の９０９）。そして、前述したように、ＴＤＭＡ装置２０３がＴＩＤ割付要求ＡＣＫメッセージを複数続けて受信しかつ最も早く受信したメッセージのみを有効なメッセージとして処理したことにより（図７の７０８）、ＣＰＵ４０７が、受信したＴＩＤ割付成功メッセージに格納されている仮ＴＩＤが、自身が予め生成している仮ＴＩＤと一致しなかったと判定した場合には、前述した失敗シーケンス１と同様の処理が実行される（図８の８０９→８１２）。
＜他の実施の形態の説明＞
上述の実施の形態においては、ＴＳＴＢ装置２１１にアナログ電話機を接続することができる。この場合、割り付けられた端末ＩＤと電話番号を対応付けることが必要となる。
【０１１７】
しかし、電話番号は加入者毎に予め決められているケースもあり、端末ＩＤの自動割付時に電話番号も自動的に付与することは困難である。このため、加入者を確認しながら端末ＩＤと電話番号を対応付ける操作が必要となる。図１４は、そのような操作を実現するための動作フローチャートである。
【０１１８】
まず、端末ＩＤの自動割付が完了した後、ＴＳＴＢ装置２１１内の表示部４０６（図４）のランプの点灯によって、そのＴＳＴＢ装置２１１にアナログ電話機が接続可能となったことが表示される（図１４の１４０１）。
【０１１９】
次に、ＴＳＴＢ装置２１１（加入者宅内装置２０２）の設置者は、ＴＳＴＢ装置２１１のアナログ電話機ポートにアナログ電話機を接続し、予め決められたセンタ側の番号をダイヤルする（図１４の１４０２）。
【０１２０】
ＴＳＴＢ装置２１１内のＣＰＵ４０７は、アナログ電話機からのダイヤル信号をＤチャネルメッセージに変換し、それをフレーム終端部４０２を介して上り伝送路２１７に送信する（図１４の１４０３）。
【０１２１】
ＴＤＭＡ装置２０３内のＣＰＵ３２３は、上り伝送路２１７からＴＳＴＢインタフェース部（上り）３０４内のフレーム分解部３２１を介して、上記Ｄチャネルメッセージを受信する（図１４の１４０４）。
【０１２２】
そして、ＣＰＵ３２３は、受信したＤチャネルメッセージの端末ＩＤに対応する電話番号が設定されているか否かを判定する（図１４の１４０５）。
ＣＰＵ３２３は、受信したＤチャネルメッセージの端末ＩＤに対応する電話番号が設定されていないと判定した場合に、Ｄチャネルメッセージ中の発信者番号エリアに端末ＩＤを設定し、そのメッセージを交換ノード２０４に送信する（図１４の１４０６）。
【０１２３】
このＤチャネルメッセージを受信した交換ノード２０４は、予め決められた番号に対応する着信端末上に端末ＩＤを表示する（図１４の１４０７）。
この着信端末によって応答したセンタ側データ登録者は、発信側の端末（ＴＳＴＢ装置２１１）の設置者と通話し、設置した端末の加入者を確認する（図１４の１４０８）。
【０１２４】
上記センタ側データ登録者は、該当する加入者に対応する電話番号と着信端末上に表示された端末ＩＤとを、保守コンソール２０８（図２）からＴＤＭＡ装置２０３内のＲＡＭ３２５（図３）等に設定する。
【０１２５】
このようにして、ＴＳＴＢ装置２１１側に特別な装置を接続又は装備することなく、ＴＳＴＢ装置２１１に接続されたアナログ電話機から予め決められた電話番号に電話をかけるだけで、端末ＩＤとそれに対応する電話番号の登録操作を実現することができる。
【０１２６】
これ以後、ＴＳＴＢ装置２１１側から発呼のためのＤチャネルメッセージが送信されると、図１４のステップ１４０５の判定がＹＥＳとなった後、ＴＤＭＡ装置２０３内のＣＰＵ３２３は、受信したＤチャネルメッセージ中の発信者番号エリアに端末ＩＤに対応する電話番号を設定し、そのメッセージを交換ノード２０４に送信する。
【０１２７】
上記Ｄチャネルメッセージを受信した交換ノード２０４は、必要とする交換処理を行って、着信端末上に電話番号を表示させる。
【０１２８】
【発明の効果】
本発明の第１の態様の構成によれば、センタ装置の主導により、端末ＩＤ割付要求メッセージが送信されるため、センタ装置は端末装置からの端末ＩＤ割付要求応答メッセージの競合を監視することができ、適切な端末ＩＤの自動割付処理を実行することが可能となる。この結果、端末装置が多数接続されるネットワークでの端末ＩＤの割付を、端末装置の設置時に自動的に行うことが可能となるので、工場出荷時、端末装置の設置時の端末ＩＤの管理が不要となり、作業の合理化を図ることが可能となる。
【０１２９】
本発明の第２の態様の構成によれば、端末装置がランダムに生成した仮端末ＩＤを認識しながらセンタ装置と端末装置との間で端末ＩＤの自動割付のためのメッセージの通信が行われることにより、複数の端末装置に対する端末ＩＤの自動割付の競合制御を適切に実行することが可能となる。
【０１３０】
本発明の第３の態様の構成によれば、同時に端末ＩＤの自動割付処理を実行する端末装置の数を制限することができる。センタ装置は、上記端末装置選択用データの値を送信毎にサイクリックに変化させるため、新規にネットワークに接続する端末装置は、いつかは必ず端末ＩＤの自動割付処理を実行することができ、しかも端末装置間で端末ＩＤの自動割付処理の競合が発生する確率を大幅に抑えることが可能となる。
【０１３１】
本発明の第４の態様の構成によれば、センタ装置が、複数の端末装置から送信された端末ＩＤ割付要求応答メッセージの競合を検出した場合に、センタ装置が各端末装置に端末ＩＤ割付失敗メッセージを送信して各端末装置に対して端末ＩＤの自動割付処理を中止させることにより、端末ＩＤの二重割付を回避することが可能となる。
【０１３２】
上述の本発明の第５の態様の構成によれば、本発明の第４の態様の場合と同様に、端末ＩＤの二重割付を回避することができると共に、センタ装置が複数の端末ＩＤ割付要求応答メッセージをネットワークの所定制御チャネルから続けて受信した場合には、そのうちの１つの端末ＩＤ割付要求応答メッセージに基づいて端末ＩＤの自動割付処理を続行することが可能となる。
【０１３３】
上述の本発明の第６の態様の構成によれば、上述のランダムタイミングがセットされたタイマ処理が、衝突を発生させた全ての端末装置において実行されることにより、次のリトライ時にも同じタイミングで再度端末ＩＤ割付要求応答メッセージを送出してしまうという事態を回避することが可能となる。
【０１３４】
上述の本発明の第７の態様の構成によれば、端末ＩＤ割付要求メッセージを送信していないタイミングにおいて、ネットワークの所定制御チャネルを用いて、端末装置の正常性確認処理、キャリアレベル調整処理、距離情報調整処理等の他の目的の制御信号を送受信することができ、所定制御チャネルを有効に利用することが可能となる。
【０１３５】
本発明の第８の態様の構成によれば、端末ＩＤに電話番号を付与する場合に、端末装置側に特別な装置を接続又は装備することなく、端末装置側に接続されたアナログ電話機等から予め決められた特定端末装置を呼び出すだけで、端末ＩＤとそれに対応する電話番号の登録操作をセンタ装置が管理する特定端末装置側で行うことが可能となる。
【図面の簡単な説明】
【図１】本発明のブロック図である。
【図２】本実施の形態のシステム構成概念図である。
【図３】ＴＤＭＡ装置の構成図である。
【図４】ＴＳＴＢ装置の構成図である。
【図５】本実施の形態における伝送路のインタフェース構成を示す図である。
【図６】端末ＩＤの自動割付処理に関連する制御メッセージのフォーマット例を示す図である。
【図７】端末ＩＤの自動割付処理に関するＴＤＭＡ装置の動作を示すフローチャートである。
【図８】端末ＩＤの自動割付処理に関するＴＳＴＢ装置の動作を示すフローチャートである。
【図９】端末ＩＤの自動割付処理のシーケンス例（正常シーケンス）を示す図である。
【図１０】端末ＩＤの自動割付処理のシーケンス例（失敗シーケンス１）を示す図である。
【図１１】端末ＩＤの自動割付処理のシーケンス例（失敗シーケンス２）を示す図である。
【図１２】端末ＩＤの自動割付処理のシーケンス例（失敗シーケンス３）を示す図である。
【図１３】端末ＩＤの自動割付処理のシーケンス例（失敗シーケンス４）を示す図である。
【図１４】本発明の他の実施の形態の動作を示すフローチャートである。
【図１５】ＢＲＩ端末のＴＥＩ割付け方式を示すシーケンス図である。
【符号の説明】
２０１      ＣＡＴＶセンタ
２０２      加入者宅内装置
２０３      ＴＤＭＡ装置
２０４      交換ノード
２０５      混合／分配器２０５
２０６      ディジタルビデオサーバ
２０７      画像交換サーバ
２０８      保守コンソール
２０９      ブルータ
２１０      管理システム
２１１      ＴＳＴＢ装置
２１２      ＤＳＴＢ装置
２１３      交換ノードインタフェース
２１４      ＴＳＴＢインタフェース
２１５      ＬＡＮインタフェース
２１６      シリアル通信インタフェース
２１７      伝送路
【図１】
0003549676.tif 000002
【図２】
0003549676.tif 000003
【図３】
0003549676.tif 000004
【図４】
0003549676.tif 000005
【図５】
0003549676.tif 000006
【図６】
0003549676.tif 000007
【図７】
0003549676.tif 000008
【図８】
0003549676.tif 000009
【図９】
0003549676.tif 000010
【図１０】
0003549676.tif 000011
【図１１】
0003549676.tif 000012
【図１２】
0003549676.tif 000013
【図１３】
0003549676.tif 000014
【図１４】
0003549676.tif 000015
【図１５】
0003549676.tif 000016